(57)【要約】  本発明は、別体として装着される肩付リングを有し、転がり軸受の構造形態で組み立て能力の点で利点をもたらす転がり軸受、具体的には複数のラジアル転がり軸受に関する。別体の肩付きングを備える複数の転がり軸受は肩付リングを適合させることで転動体の軸方向の遊びを所望の方法で調節するのに多く使用される。  本発明は転がり軸受、具体的にはラジアル転がり軸受（１，１８）に関し、この軸受は第１と第２軸受輪（２，３）と、複数の転動体（４）とを備え、第１と第２軸受輪（２，３）は共通軸を中心にして回転できるように複数の転動体（４）により互いに関連して配置され、且つ転動体の軸方向の配置用縁部を形成し、前側肩支持面により軸受輪（２，３）の一方の前側輪支持面上に裁置される肩体（５）を備える。肩支持面（１０）とリング支持面（９）は、前記縁部（６）の軸方向位置を肩体（５）と軸受輪（２，３）が相互に回転するときに修正するように構成される。
2010525265.tif 000002
【特許請求の範囲】
【請求項１】
第１軸受輪（２）および第２軸受輪（３）と、多数の転動体（４）とを備え、これら第１軸受輪（２）および第２軸受輪（３）は、多数の転動体（４）により共通軸を中心として互いに相対的に回転できるように配置され、さらに転動体と軸方向で接触するフランジを形成し、軸受輪（２，３）の一方の端側リング接触面（９）と端側フランジ接触面（１０）で当接するフランジ体（５）を備える転がり軸受（１，１８）において、
前記フランジ接触面（１０）とリング接触面（９）は、前記フランジ体（５）と軸受輪（２，３）が互いに相対的にねじられると、前記フランジ（６）の軸方向位置が変化するように構成されていることを特徴とする転がり軸受（１，１８）。
【請求項２】
前記フランジ接触面（１０）および／または前記リング接触面（９）は複数のセグメントに分割され、各セグメントは周方向に斜面またはランプ（１１ａ、ｂ，ｃ，１２ａ、ｂ、ｃ）を有することを特徴とする請求項１に記載の転がり軸受（１，１８）。
【請求項３】
フランジ接触面（１０）のセグメントであるランプ（１２ａ、ｂ、ｃ）は同一方向に整列し、リング接触面（９）のセグメントであるランプ（１１ａ、ｂ、ｃ）はそれぞれ鏡像反転に整列されることを特徴する請求項２に記載の転がり軸受（１，１８）。
【請求項４】
前記フランジ接触面（１０）および／または前記リング接触面（９）はそれぞれ３つ以上のランプ（１１ａ、ｂ，ｃ，１２ａ、ｂ、ｃ）から構成され、および／または３つ以上のセグメントに分割されることを特徴とする請求項２または３に記載の転がり軸受（１，１８）。
【請求項５】
前記フランジ（６）は軸受輪（２，３）と少なくとも複数の区分で係合することを特徴とする請求項１から４の１つに記載の転がり軸受（１，１８）。
【請求項６】
前記フランジ体（５）はフランジリングとして構成されることを特徴とする請求項１から５の１つに記載の転がり軸受（１，１８）。
【請求項７】
前記フランジ接触面（１０）および／または前記リング接触面（９）は好ましくは面構造、特にヒルト歯付け、コーティング、粘着フィルム等として構成される摩擦増加および／または係止装置を備えることを特徴とする請求項１から６の１つに記載の転がり軸受（１，１８）。
【請求項８】
前記リング接触面（９）は前記内輪（２）を形成する軸受輪に割り当てられることを特徴とする請求項１から７の１つに記載の転がり軸受（１，１８）。
【請求項９】
前記内輪（２）の自由内径は前記フランジ体（５）の自由内径より小さいことを特徴とする請求項８に記載の転がり軸受（１，１８）。
【請求項１０】
前記リング接触面（９）は前記外輪（３）を形成する軸受輪に割り当てられることを特徴とする請求項１から９の１つに記載の転がり軸受（１，１８）。
【請求項１１】
前記外輪（３）の最大外径は前記フランジ体（５）の最大外径より大きいことを特徴とする請求項１０に記載の転がり軸受（１，１８）。
【請求項１２】
前記転がり軸受（１，１８）はラジアル転がり軸受として、特にＯ型配列のテーパー転がり軸受（１）として、または円筒転がり軸受（１８）として構成されることを特徴とする請求項１から１１の１つに記載の転がり軸受（１，１８）。
【請求項１３】
前記斜面またはランプは特にセンターリングを行うように円錐状に形成されることを特徴とする請求項１から１２の１つに記載の転がり軸受（１，１８）。
【請求項１４】
ハウジング（１５）と、軸（１６）または車軸と請求項１から１３の１つに記載の少なくとも１つの転がり軸受（１，１８）とを備える軸受構成（１４，１９）、特にピニオン軸軸受構成において、前記車軸または軸（１６）は該転がり軸受（１，１８）によりハウジング（１５）に装着されることを特徴とする軸受構成（１４，１９）。
【請求項１５】
前記内輪（２）は軸（１６）または車軸上に圧接され、および／または前記外輪（３）はハウジング（１５）に押し込まれ配置されることを特徴とする請求項１４に記載の軸受構成（１４，１９）。
【請求項１６】
前記フランジ体（５）は軸（１６）または車軸上に、および／またはハウジング（１５）に中間嵌めにより、特にねじり可能におよび／また移動可能に配置され、または嵌合されることを特徴とする請求項１５に記載の軸受構成（１４，１９）。
【請求項１７】
前記転がり軸受（１，１８）は軸または車軸ナット（２０）により軸方向に締め付けられるように装着されることを特徴とする請求項１４から１６の１つに記載の軸受構成（１４，１９）。
【請求項１８】
前記フランジ体（５）は特にねじり抵抗を増加するため、および／または反ねじり装置として、フランジ接触面（１０）から離れて面する側に共通軸と同軸に配置され、且つ円錐リングに対応して構成される円錐くぼみを備えることを特徴とする請求項１から１７の１つに記載の軸受構成（１４，１９）。
【請求項１９】
表示器、特に目盛りはフランジ体と軸受輪間のねじり角度を示すために供給されることを特徴とする請求項１から１８の１つに記載の軸受構成（１４，１９）。
【発明の詳細な説明】
【技術分野】
【０００１】
本発明は、第１、第２軸受輪と、多数の転動体とフランジ体とを備える転がり軸受に関し、これら第１、第２軸受輪は、多数の転動体により共通軸を中心として互いに相対的に回転できるように配置され、前記フランジ体は、多数の転動体と軸方向で接触するフランジを構成し、前記軸受輪の一方の側部リング接触面と側部フランジ接触面で当接する。
【背景技術】
【０００２】
この種の転がり軸受は、例えばラジアル転がり軸受は、フランジ体としてしばしば別体に装着される必要がある、即ちゆるみを持つフランジディスクを備え、そのため、第一には転がり軸受またはラジアル転がり軸受の所定の設計において組み立て上の利点を有している。第二には、転動体の軸方向の遊びを所望の手法で適合させることができるように、別体のフランジディスクを有する転がり軸受又はラジアル転がり軸受がしばしば使用されていた。
【０００３】
しかしながら、転がり軸受又はラジアル転がり軸受の転動体の軸方向のあそびを正確に調整することは、転がり軸受またはユニットの個々の部品の製造公差を考慮するため、転がり軸受の製造またはユニットとしての組み立てには多くの実際上の問題と関連することになる。
【０００４】
このような製造上の公差を補償するためおよび軸方向の遊びを調整するためには従来は例えば、転がり軸受間またはラジアル転がり軸受間に調整ワシャーを挿入することが行われていた。調整ワッシャの厚みは、公知の公差を有し、組み立てられるユニットの個々の部品、転がり軸受、ハウジング、および軸または軸肩部の実際の寸法を予め測定することにより定める。
【０００５】
この厚みに基づき、正確に公差に適合する調整ワッシャが選択され、使用される。
【０００６】
異なる手法としては、個々の部品の実際の寸法を統計的な変数により評価し、それにより高い確率で所望の軸方向遊びまたは予荷重を与えることになる調整ワッシャを使用することになる。このようにして評価された調整ワッシャを装着すると、普通、得られた軸受セッテイングの最終チェックはその後実施される。この軸受セッテイングが該当する仕様からあまり違い過ぎる場合には、このように組み立てられたユニットまたは転がり軸受は再度分解され、調整ワッシャは交換され、そしてユニットまたは転がり軸受は再度組み立てする必要がある。
【０００７】
したがって、公知の方法では、多くの手間を必要とするか、または不正確な軸方向遊びによる不正確さが残ることになる。
【０００８】
更に別の手法によれば、ユニットの転がり軸受が遊びを有するが、負荷を与えられて（予荷重が与えられて）装着される構成である。
【０００９】
別体のフランジディスクを備えるラジアル転がり軸受は例えば、ドイツ公開特許３９２３１１１（発明者ハッセ等）に開示され、これはもっとも近い公知技術と思われる。
【先行技術文献】
【特許文献】
【００１０】
【特許文献１】ドイツ公開特許３９２３１１１号公報
【発明の概要】
【発明が解決しようとする課題】
【００１１】
本発明は、軸受構成の簡単な組み立てを可能にする転がり軸受と且つ対応する軸受構成を提案することを目的とするものである。
【００１２】
上記目的は請求項１の特徴を有する転がり軸受および請求項１４の特徴を有する軸受構成により実現される。本発明の好ましい、または有利な実施例は従属項と、以下の記述と、添付図により明らかになる。
【課題を解決するための手段】
【００１３】
本発明によれば、転がり軸受は第１軸受輪および第２軸受輪と、第１軸受輪および第２軸受輪間に配置された多数の転動体から構成され、これら第１軸受輪および第２軸受輪は、共通軸を中心として互いに相対的に回転できるように装着されている。
【００１４】
これらの軸受輪は、転動体用の、互いに対抗しておよび／または同心的に配置された軌道を有し、且つそれぞれ単一部または多重部で構成しても良い。発明のある実施例では、複数の転動体は一列に配置しても良いし、別の実施例では複数列に配置することができる。
【００１５】
前記転がり軸受は、別体部または緩み部として形成され、且つ少なくとも転動体の一部と軸方向の接触または軸方向の当接を成すフランジを形成する少なくとも一つのフランジ体から構成される。詳しくは転がり軸受は、半径方向作用力が軸受輪により吸収され、外側からの軸方向作用力および転がり軸受からの軸方向反力がフランジまたはフランジ体により分散されるように構成される。
【００１６】
前記フランジ体は、端側フランジ接触面、即ち共通軸と直角に整列し、１つまたは複数の軸受輪側に面し、端側リング接触面、即ち共通軸に直角に配置された、軸受輪の一方のリング接触面と当接するフランジ接触面を備える。またフランジ体は、そのため直接に、特に更なる部品を設けることなく、軸受輪の一方に支持されている。
【００１７】
本発明によれば、フランジ接触面とリング接触面は、フランジ体と軸受輪、またはフランジ接触面とリング接触面が互いに対してねじられると、フランジの軸方向位置が変化するように設計されている。特にフランジには負荷が与えられ、ラジアル転がり軸受の予荷重および／または軸方向遊びが変化するように構成される。ここで、軸方向遊びとは好ましくは、軸受が装着されていなとき、軸受輪が、荷重がない接触状態の範囲で一端から他端位置に軸方向で互いに移動できる寸法として規定される。
【００１８】
本発明のラジアル転がり軸受の構成によれば、軸方向遊びまた予荷重は既にユニットに装着された状態のラジアル転がり軸受において所望の方法で調節できるように構成される。そのため、実質的にまたは完全に調整ワッシャの使用を削除できる。少なくとも調整ワッシャの面倒な且つ失敗しがちな選択を廃止できる。調整ワッシャを交換するための転がり軸受の面倒な分解も同様に必要なくなる。
【００１９】
更にこの解決策によれば、ユニットの挿入工程後且つ対応するセッテング工程後に予荷重または軸方向遊びの再調整をしても良いことになる。この解決策のさらなる利点は、軸受輪と支持フランジの単一部構成では支持フランジの軌道と接触面間に必要となる溝が廃止でき、当該軸受輪上の軌道が完璧な構造になる点である。
【００２０】
本発明の好ましい実施例では、フランジ接触面および／またはリング接触面は夫々傾斜側部を有し、これにより両者が相対的にねじられると、フランジの軸方向位置の変位が生ずることになる。上記傾斜側部は、好ましくは、フランジ接触面および／またはリング接触面は複数のセグメントに分割され、例えば３つのセグメントに分割され、各セグメントは共通軸方向に昇降するランプを周方向に有するように構成される。このランプは好ましくは一定のおよび／または単一の傾斜、および／または厳格に単一の傾斜で形成される。
【００２１】
上記傾斜側部は好ましくは、軸受輪に対する、対応するフランジ体のねじりによりフランジが軸方向位置上で正確に段差なく調整できるように、特に対応する大きな伝達比の選択、即ち転がり角度の機能なすランプの好ましい傾斜により構成される。
【００２２】
他の実施例では、前記ランプは、段つき構造からなり、そのため段の高さにより規定された、異なる、固定した空間をフランジ体と軸受輪間の相対回転角の機能としてセットすることができる。この段つき構成では、予荷重下で装着された後、軸方向の締め付けでいかなる復元トルクも生じないため、段部の接触面が共通軸の縦方向範囲に対して直交するように形成されることが望ましい。
【００２３】
本発明の望ましい例では、前記ランプは更に径方向に傾斜、および／または圧力角を有し、そのため例えば軸ナットによりラジアル転がり軸受を軸方向に締め付けると、半径方向力成分が生じ、軸受輪上でフランジディスクをセンターリングすることになる。
【００２４】
フランジの位置変化の効果を実現するためには、接触面のセグメントの複数のランプが同一方向に整列し、且つそれと対抗する接触面の複数のランプがそれぞれそれらに鏡像反転して整列することが好ましい。接触面とその対抗する接触面のランプの傾斜は等しい大きさに形成されている。
【００２５】
特に好ましい実施例では、フランジ接触面とリング接触面は夫々３つのランプを有し、即ち３つのセグメントに分割されている。  この構成において、特にフランジ体が３点支持で軸受上に、規定された、傾きの無いように裁置される。
【００２６】
本発明の好ましい実施例では、フランジは軸受輪と少なくとも複数の区分で係合し、そのため特に軸受輪の軌道が少なくとも軸方向の複数の区分においてオーバーラップするように構成される。この構成は、フランジ体またはフランジが軸方向に移動する間、軸受輪の軌道の追加区分のみがフランジにより覆われたり、開放されることを保証している。
【００２７】
フランジ体は、任意の所望の形状であってもよく、且つ更に複雑な製品の一部であってもよいが、フランジ体はフランジディスクとして、特に形削りにより製造されたフランジディスクとして形成されることが望ましい。
【００２８】
その装着された状態では、例えば、摩擦および／または圧入嵌め合いにより、転がり軸受が軸方向作用荷重で装着されるか、軸方向に締め付けられることによりフランジ体は軸受輪に対して望ましくない相対ねじりが生じないように固定される。好ましい実施例によれば、装着した状態でフランジ体が勝手に調整されてしまうことを防止する固定装置を供給しても良く、この固定装置は特に摩擦増加装置として形成される。この目的のため、例えばプロファイリング、歯付け、特にヒルト歯付け（Ｈｉｒｔｈ  ｔｏｏｔｈｉｎｇ）、被覆、粘着フィルム等がフランジ接触面および／またはリング接触面に施され、または形成しても良い。
【００２９】
第１の別の構成では、リング接触面は内輪を形成する軸受輪に割り当てられ、フランジが内輪と係合して内輪の軌道の範囲を定めている。
【００３０】
利点のある実施例において、フランジ体が調節できるように、即ちフランジ体が内輪に対してねじれることができるように車軸または軸上に着座した内輪の自由内径が同じ軸または車軸上に配置されたフランジ体の自由内径より小さく構成される。
【００３１】
別の構成では、リング接触面は外輪を形成する軸受輪に割り当てられ、この構成において、この相対的な回転は内輪の最大外径をフランジ体の最大外径より大きくすることにより可能になる。
【００３２】
更なる別の実施例では、１つのまたは共通のフランジ体が内輪および外輪に備えられている。
【００３３】
原理的には転がり軸受は、如何なる所望の設計でも良い。転がり軸受は好ましくはラジアル転がり軸受であるが、特に好ましいのは前記転がり軸受が、フランジ体または複数のフランジ体はＯ型配列でそれぞれ外側に配置できるので特にＯタイプの構成でテーパー状転がり軸受、またはテーパー状転がり軸受セットとして構成でき、または円筒転がり軸受として構成できることである。
【００３４】
本発明の更なる主題は特にピニオン軸軸受構成として設計された軸受構成に関し、この軸受構成はハウジングと、軸または車軸と、すぐ上に記述された、または前記先行の複数の請求項の１つに記載された、少なくとも１つの転がり軸受からなり、詳しくはラジアル転がり軸受であって、前記車軸または軸は前記転がり軸受またはラジアル転がり軸受によりハウジングに装着する構成である。
【００３５】
本発明によれば、転がり軸受、詳しくはラジアル転がり軸受に関して、内輪は軸または車軸上に圧入され、特に回転方向に固定されるように配置され、および／または外輪はハウジングに圧入されおよび／または回転方向に固定されるように配置される。ラジアル転がり軸受の調整性を保証するため、フランジ体は軸上または車軸上におよび／またはハウジングに中間嵌めおよび／または締まり嵌めにより配置して、フランジ体が回転できるように構成される。前記実施例は、軸受の軌道領域にあるラジアル転がり軸受の半径方向荷重部が標準孔を有して形成され、軸または車軸上に圧入されるので、１つ、または複数の軸受輪を半径方向の荷重にあって、確実に圧入されるという利点がある。特にもっぱら軸方向荷重を受けるラジアル転がり軸受の上記荷重部、詳しくは軸方向支持フランジとして機能するフランジ体は、軸座で中間嵌めまたは締まり嵌めする中心孔を有し、それによりフランジ体が回転できるように構成される。
【００３６】
フランジは軸受輪に対して遊びをもって装着され、この遊びは好ましくは車軸または軸に対する、あるいはフランジ体のハウジングに対する遊びより大きく設定される。
【００３７】
フランジ体のセットされた角度位置を永らくきちんと固定するためには、転がり軸受またはラジアル転がり軸受は軸方向に固定されるか、ねじ結合により軸方向に締め付けられことが好ましい。  締め付け力は通常推定される軸方向作用力をかなり上回るようにして、部品の弾性変形によるゆがみを最小限にしている。  ここでは、転がり軸受の外輪が特に一側でハウジングの肩部と当接している。軸方向の締め付けでは、緩みをもったフランジ体を回転方向に固定するように締め付けることもできる。
【００３８】
転がり軸受またはラジアル転がり軸受は特に好ましくは軸ナットまたは車軸ナットにより軸方向でハウジングに対して締め付けられる。
【００３９】
フランジ体を固定する他の選択としては、フランジ体がフランジ接触面から離れて面する側で、共通軸と同軸上に配置され、且つ共通軸と同軸上に配置されフランジ体上またはその中に圧接されそれを固定する円錐リングを保持するように構成された、円錐接触面を軸方向に備えることである。ねじりに対抗する軸方向締め付け力はこの種の円錐リングにより更に増加しうるものである。
【図面の簡単な説明】
【００４０】
本発明の更なる特徴、利点、効果は、以下に示す本発明の好ましい実施例の記載および添付図面により明確になる。添付図面において、
【図１】本発明の第１実施例のテーパー転がり軸受を示す異なる図である。
【図２】本発明の第１実施例のテーパー転がり軸受を示す異なる図である。
【図３】本発明の第１実施例のテーパー転がり軸受を示す異なる図である。
【図４】ユニットとして図１から図３に示される前記テーパー転がり軸受の断面図である。
【図５】ユニットとして図１から図３に示される前記テーパー転がり軸受の断面図である。
【図６】本発明の第２実施例の円筒転がり軸受を示す異なる図である。
【図７】本発明の第２実施例の円筒転がり軸受を示す異なる図である。
【図８】本発明の第２実施例の円筒転がり軸受を示す異なる図である。
【図９】本発明の第２実施例の円筒転がり軸受を示す異なる図である。
【図１０】本発明によるテーパー転がり軸受の一方または他方を備えたピニオン軸軸受構成を示す概略断面図である。
【００４１】
尚、同一または対応する部品は同一または対応する参照記号により図面に記載されるものとする。
【実施例】
【００４２】
図１は３次元概略図であって、内輪２と、外輪３と、内輪２と外輪３の間で回転できるように配置された多数のテーパーころ４が示されている。テーパーころ４は不図示の共通回転軸に対し傾斜して配置され、図１はテーパー転がり軸受１の平面図を示し、テーパーころ４の径方向外側端部側が示される。
【００４３】
この方向において、内輪２はフランジを設けずに形成される。一体的に形成されるフランジの代わりにフランジディスク５が内輪２上に設けられ、このフランジディスク５が図２と図３で３次元概略図で示され、それぞれ前面と後面から傾いた平面図で示される。  このフランジディスク５は装着時共通軸の方向にフランジディスク５からフランジ６として突出し、内輪２の周辺と係合する包囲縁部を備え、フランジ６がテーパーころ４の支持フランジ部即ち切れ目のないフランジ部を形成するものである。
【００４４】
テーパー転がり軸受１のテーパーころ４の軸方向遊びおよび／または予荷重を調節できるようにするため、内輪２とフランジディスク５の両方とも夫々傾斜側部７、８を夫々の端側部に備える。傾斜側部７，８により得られる効果は、内輪２に対するフランジディスク５の、つまりフランジ６の軸方向位置の大変正確な、段の無い調整を内輪２に対してフランジディスク５をねじることによりころ角の関数としてセットすることができる。
【００４５】
ここでは、傾斜側部７または８が夫々、リング接触面９またはフランジ接触面１０上に夫々、周方向に夫々伸びる多数のランプ１１ａ、ｂ、ｃと１２ａ、ｂ、ｃとして形成される。リング接触面９のランプ１１ａ、ｂ、ｃは周方向に上昇するように配列されている。ランプ１１ａ、ｂ、ｃの最低および最高点の夫々は共通軸に直角に整列する共通平面にそれぞれある。ただし、ランプ１１ａ、ｂ、ｃ間に複数の窪みが半円で径方向に伸びるチャネル（出口、へこみ）として形成されている。
【００４６】
ランプ１２ａ、ｂ、ｃはランプ１１ａ、ｂ、ｃに類似して形成されるが、その傾斜は正確に反対方向に形成され、そのため内輪２に対してフランジディスク５がねじられる間にフランジ６は軸方向に移動する。
【００４７】
内輪２に対するフランジディスク５のねじり作業を容易にするため、フランジディスク５は、フランジディスク５の周方向に均一に配置され、その中に適切な調整具が係合できる軸方向に延びる複数の通路開口部１３を備える。別の例としては、フックレンチを、フランジ体またはフランジディスクの外径にある対応する溝に係合するようにしてもよい。
【００４８】
図４はハウジング１５を備えるユニット１４を示し、このハウジング１５内に、軸１６が互いに関連するＯ型に配列された２つのテーパー転がり軸受１、１７により装着されている。図４の左側に図示されるテーパー転がり軸受１はフランジディスク５を備え、図４では、フランジディスク５が右側軸方向のストップ位置にある。
【００４９】
図５は同一のユニット１４を示しているが、フランジディスク５は軸方向最も左側に位置し、軸方向の遊びは最大になり、予荷重は最小になっている。
【００５０】
図６から図８は本発明の第２実施例として調節可能フランジディスク５を備える円筒転がり軸受１８を示す。この種の円筒転がり軸受１８は、例えば回転式ピストン送風機に使用される。円筒転がり軸受１８も図１から図５で既に記載したものと同様に、傾斜側部７を備えると共に、同様に傾斜側部８を備えるフランジ接触面１０と協働するリング接触面９を有する。
【００５１】
図９は円筒転がり軸受１８の部分断面図で、平面図で見るとそのランプ１１ａは内輪２に配され、ランプ１２ａはフランジディスク５に配される。図からわかるように、もしフランジディスク５がねじられると、フランジ６は軸方向で内輪２から離れるように移動して、内輪２の軌道の幅Ｂは、つまり軸方向の遊びは増加するように構成される。
【００５２】
図１０はユニットとして構成された実施例を示すもので、ピニオン軸軸受構成１９は、Ｏ型配列のテーパー転がり軸受セットを備え、通常大型車両に使用されるものである。この例では左側軸受は別体フランジディスク５を備えるテーパー転がり軸受１として構成され、そのため軸受１の軸方向の遊びはフランジディスク５をねじることにより連続的に調整することができる。右側軸受は従来のテーパー転がり軸受１７として構成される。別の例では、テーパー転がり軸受１と１７の両方とも調節可能フランジディスク５を備えるようにしても良い。
【００５３】
軸受１と１７の軸方向の締め付けは、軸ナット２０により行われる。調節可能テーパー転がり軸受１の使用による利点は、テーパー転がり軸受１の転動体４の軸方向の遊びまたは径方向の遊びおよび／または予荷重がフランジディスク５をねじることにより調節することができることである。
【００５４】
この調整は、ここでは一方では初期組み立て中に実施しても良いし、他方、再調整はピニオン軸軸受構成１９の挿入後に実施しても良く、この場合ユニットは組み立て状態で単に軸ナット２０を緩めるだけでよい。
【００５５】
更にここではフランジ体と軸受輪間のねじり角度を示す表示装置、例えば目盛りを備えて、セットされた軸受遊びを直接参照することができるようにしても良い。それから軸受とフランジ体からなり、ゼロにセットされたユニットをストップするまで圧接し、軸受遊びを計測してもよい。必要な軸受遊びや予荷重をセットするには、フランジ体を一定の角度ねじって、直接読み取ることができるようにする。
【符号の説明】
【００５６】
１            テーパー転がり軸受
２            内輪
３            外輪
４            テーパーころ、転動体
５            フランジディスク
６            フランジ
７、８        傾斜側部
９            リング接触面
１０          フランジ接触面
１１ａ、ｂ、ｃ        ランプ
１２ａ、ｂ、ｃ        ランプ
１３          通路開口部
１４          ユニット
１５          ハウジング
１６          軸
１７          テーパー転がり軸受
１８          円筒転がり軸受
１９          ピニオン軸軸受構成
２０          軸ナット
【図１】
2010525265.tif 000003
【図２】
2010525265.tif 000004
【図３】
2010525265.tif 000005
【図４】
2010525265.tif 000006
【図５】
2010525265.tif 000007
【図６】
2010525265.tif 000008
【図７】
2010525265.tif 000009
【図８】
2010525265.tif 000010
【図９】
2010525265.tif 000011
【図１０】
2010525265.tif 000012
【国際調査報告】
2010525265.tif 000013
2010525265.tif 000014
2010525265.tif 000015
2010525265.tif 000016